(57)【要約】【課題】燃料増量制御中であるときの自動変速機の変速の際に、変速時トルクダウン制御を適切に実行して良好な変速を実現する。【解決手段】燃料増量制御中に遅角制御で行うことに伴う燃料噴射量増量係数変化量αが比較的小さい場合は、遅角制御を行ったとしても変速中の実エンジントルクＴeの変化が小さくされて変速ショックや変速応答性の悪化が抑制される為、比較的制御性の良い遅角制御により変速時トルクダウン制御を実行する。一方で、燃料増量制御中に遅角制御で行うことに伴う燃料噴射量増量係数変化量αが比較的大きい場合は、遅角制御を行うと変速中の実エンジントルクＴeの変化が大きくされて変速ショックや変速応答性が悪化し易い為、実エンジントルクＴeへの影響がない閉じ制御或いは部分フューエルカット制御により変速時トルクダウン制御を実行する。これにより、変速ショックの抑制と変速応答性とを両立することが可能となる。【選択図】図５
2014058907.tif 000002
【特許請求の範囲】
【請求項１】
エンジンと、該エンジンからの動力を駆動輪側へ伝達する自動変速機とを備え、該自動変速機の変速時に該エンジンのトルクを低下させる変速時トルクダウン制御を実行すると共に、該エンジンの排気系に関わる温度が上昇したときに該エンジンへの燃料噴射量を増量する燃料増量制御を実行し、該燃料増量制御では該エンジンの点火時期が遅角側にある程、該燃料噴射量の増量分を大きくする車両の制御装置であって、
前記燃料増量制御が実行されているときの前記自動変速機の変速の際には、前記変速時トルクダウン制御として、前記点火時期を遅角する遅角制御を、スロットル弁開度を小さくする閉じ制御或いは該エンジンの少なくとも１つの気筒への燃料供給を停止する部分フューエルカット制御よりも、該変速時の燃料噴射量の増量分の変化量が小さい領域で選択することを特徴とする車両の制御装置。
【請求項２】
アクセル開度或いはスロットル弁開度が小の低開度領域、或いはアクセル開度或いはスロットル弁開度が大の高開度領域は、アクセル開度或いはスロットル弁開度が該低開度領域よりも相対的に大きく且つ該高開度領域よりも相対的に小さい中の中開度領域よりも、前記変速時の燃料噴射量の増量分の変化量が小さい領域とされることを特徴とする請求項１に記載の車両の制御装置。
【請求項３】
前記変速時の燃料噴射量の増量分の変化量は、該変速時に前記遅角制御により前記変速時トルクダウン制御を実行するとした場合に、該遅角制御に伴って該燃料噴射量の増量分が変化させられる量であることを特徴とする請求項１又は２に記載の車両の制御装置。
【発明の詳細な説明】
【技術分野】
【０００１】
本発明は、自動変速機の変速時にトルクダウン制御を実行すると共に、エンジンの排気系に関わる温度が上昇したときに燃料増量制御を実行する車両の制御装置に関するものである。
【背景技術】
【０００２】
エンジンと、そのエンジンからの動力を駆動輪側へ伝達する自動変速機とを備え、自動変速機の変速時（特に、パワーオンアップシフト時）にエンジントルクを低下させる制御（変速時トルクダウン制御）を実行して変速ショックを抑制する車両が良く知られている。例えば、特許文献１に記載されたパワートレーンの総合制御装置がそれである。この特許文献１には、変速時トルクダウン制御として、エンジンの一部気筒への燃料供給を停止する制御（部分フューエルカット制御）が提案されている。一般的に、このような変速時トルクダウン制御としては、この部分フューエルカット制御の他に、例えばエンジンの点火時期を遅角する制御（遅角制御）やスロットル弁開度を小さくする制御（閉じ制御）も良く知られている。
【先行技術文献】
【特許文献】
【０００３】
【特許文献１】特開平２−４５６２７号公報
【発明の概要】
【発明が解決しようとする課題】
【０００４】
ところで、上述したような変速時トルクダウン制御は、それぞれに一長一短があり、何れか１つの制御を採用したときに良好な変速（例えば変速ショックの抑制と変速応答性とを両立させた変速）を実現できない可能性がある。例えば、上記遅角制御では、トルクダウンの応答性や精度は比較的優れているものの、大きなトルクダウン量が得られ難い。また、上記閉じ制御では、空気量による遅れの為に、応答性の面で劣っている。また、上記部分フューエルカット制御では、気筒毎の段階的なトルクダウン量となる為、トルクダウン量を要求値に制御することが難しい。一方で、高負荷運転が続いたことでエンジンの排気系に関わる温度（排気系温度、例えば排気温度やエンジンの排気管に設けられた触媒の温度等）が上昇したときに、エンジンへの燃料噴射量を増量する制御（燃料増量制御）を実行してその排気系温度を低下させることも良く知られている。また、この燃料増量制御では、通常、そのときのエンジンの点火時期が遅角側にある程（点火遅角量が大きい程）、燃料噴射量の増量分が大きくされる。そうすると、燃料増量制御の実行中に、変速時トルクダウン制御を遅角制御にて実行すると、更に燃料噴射量の増量分が大きくされることで実エンジントルクの変動が大きくされて、良好な変速を実現し難くなる可能性がある。その為、変速時トルクダウン制御のみを考えれば、上述した各制御の中では遅角制御が最も優れていると考えられるが、変速時トルクダウン制御と燃料増量制御等の他の制御との協調を考えると、必ずしも遅角制御が優れているとは限らず、適宜最適なものを選択することが望ましい。尚、上述したような課題は未公知であり、燃料増量制御の実行中における変速時トルクダウン制御をその燃料増量制御と協調させて適切に実行することで、良好な変速を実現することについて未だ提案されていない。
【０００５】
本発明は、以上の事情を背景として為されたものであり、その目的とするところは、燃料増量制御が実行中であるときの自動変速機の変速の際に、変速時トルクダウン制御を適切に実行して良好な変速を実現することができる車両の制御装置を提供することにある。
【課題を解決するための手段】
【０００６】
前記目的を達成する為の第１の発明の要旨とするところは、(a) エンジンと、そのエンジンからの動力を駆動輪側へ伝達する自動変速機とを備え、その自動変速機の変速時にそのエンジンのトルクを低下させる変速時トルクダウン制御を実行すると共に、そのエンジンの排気系に関わる温度が上昇したときにそのエンジンへの燃料噴射量を増量する燃料増量制御を実行し、その燃料増量制御ではそのエンジンの点火時期が遅角側にある程、その燃料噴射量の増量分を大きくする車両の制御装置であって、(b) 前記燃料増量制御が実行されているときの前記自動変速機の変速の際には、前記変速時トルクダウン制御として、前記点火時期を遅角する遅角制御を、スロットル弁開度を小さくする閉じ制御或いはそのエンジンの少なくとも１つの気筒への燃料供給を停止する部分フューエルカット制御よりも、その変速時の燃料噴射量の増量分の変化量が小さい領域で選択することにある。
【発明の効果】
【０００７】
このようにすれば、燃料増量制御が実行されているときの自動変速機の変速の際に、遅角制御により変速時トルクダウン制御を実行すると、そのときの点火遅角量に応じて燃料噴射量が増量される。燃料増量制御中に遅角制御で行うことに伴う燃料噴射量の増量分の変化量が小さい場合は、遅角制御を行ったとしても変速中の実エンジントルクの変化が小さくされて変速ショックや変速応答性の悪化が抑制される為、比較的制御性の良い（すなわちトルクダウンの応答性や精度が比較的優れている）遅角制御により変速時トルクダウン制御を実行する。一方で、燃料増量制御中に遅角制御で行うことに伴う燃料噴射量の増量分の変化量が大きい場合は、遅角制御を行うと変速中の実エンジントルクの変化が大きくされて変速ショックや変速応答性が悪化し易い為、実エンジントルクへの影響がない（すなわち遅角制御と異なりトルクダウンの実行に伴って燃料噴射量の増量分が変化しない）閉じ制御或いは部分フューエルカット制御により変速時トルクダウン制御を実行する。これにより、変速ショックの抑制と変速応答性とを両立することが可能となる。よって、燃料増量制御が実行中であるときの自動変速機の変速の際に、変速時トルクダウン制御を適切に実行して良好な変速を実現することができる。
【０００８】
ここで、第２の発明は、前記第１の発明に記載の車両の制御装置において、アクセル開度或いはスロットル弁開度が小の低開度領域、或いはアクセル開度或いはスロットル弁開度が大の高開度領域は、アクセル開度或いはスロットル弁開度がその低開度領域よりも相対的に大きく且つその高開度領域よりも相対的に小さい中の中開度領域よりも、前記変速時の燃料噴射量の増量分の変化量が小さい領域とされることにある。このようにすれば、燃料増量制御の実行中における変速時トルクダウン制御として、アクセル開度（或いはスロットル弁開度）の低開度領域或いは高開度領域では遅角制御が選択される一方で、アクセル開度（或いはスロットル弁開度）の中開度領域では閉じ制御或いは部分フューエルカット制御が選択される。
【０００９】
また、第３の発明は、前記第１の発明又は第２の発明に記載の車両の制御装置において、前記変速時の燃料噴射量の増量分の変化量は、その変速時に前記遅角制御により前記変速時トルクダウン制御を実行するとした場合に、その遅角制御に伴ってその燃料噴射量の増量分が変化させられる量である。このようにすれば、燃料増量制御が実行中であるときの自動変速機の変速の際に、変速時トルクダウン制御を適切に実行して良好な変速を確実に実現することができる。
【図面の簡単な説明】
【００１０】
【図１】本発明が適用される車両における動力伝達経路の概略構成を説明する図であると共に、車両に設けられた制御系統の要部を説明する図である。
【図２】図１のエンジンの概略構成を説明する図であると共に、エンジンの出力制御等を実行する為に車両に設けられた制御系統の要部を説明する図である。
【図３】電子制御装置の制御機能の要部を説明する機能ブロック線図である。
【図４】点火遅角量及びアクセル開度Ａcc（或いはスロットル弁開度θth）と燃料噴射量増量係数との予め定められた関係（燃料噴射量増量係数マップ）の一例を示す図であって、変速時の燃料噴射量の増量分の変化量が小さい領域を説明する為の図でもある。
【図５】電子制御装置の制御作動の要部すなわち燃料増量制御が実行中であるときの自動変速機の変速の際に変速時トルクダウン制御を適切に実行して良好な変速を実現する為の制御作動を説明するフローチャートである。
【図６】図５のフローチャートに示す制御作動を実行した場合のタイムチャートであって、パワーオンアップシフト時の一例を示す図である。
【発明を実施するための形態】
【００１１】
本発明において、好適には、前記自動変速機は、例えば複数のギヤ段が択一的に達成される公知の遊星歯車式自動変速機、２軸間に備えられた常時噛み合う複数対の変速ギヤの何れかをアクチュエータにより駆動される同期装置によって択一的に動力伝達状態とすることでギヤ段が自動的に切換られる公知の同期噛合型平行２軸式自動変速機、入力軸を２系統備えて各系統の入力軸にクラッチがそれぞれ繋がり更にそれぞれ偶数段と奇数段へと繋がっている型式の同期噛合型平行２軸式自動変速機である所謂ＤＣＴ（Dual Clutch Transmission）、変速比が無段階に連続的に変化させられる公知のベルト式無段変速機やトラクション型無段変速機、或いは電気的に変速比が変更される公知の電気式無段変速機などにより構成される。上記各種無段変速機にあっては、敢えて有段的に変速比を変更する変速制御を実行できることは言うまでもないことである。また、前記自動変速機の車両に対する搭載姿勢は、その自動変速機の軸線が車両の幅方向となるＦＦ（フロントエンジン・フロントドライブ）車両などの横置き型でも、その自動変速機の軸線が車両の前後方向となるＦＲ（フロントエンジン・リヤドライブ）車両などの縦置き型でも良い。
【００１２】
また、好適には、前記エンジンとしては、例えば燃料の燃焼によって動力を発生するガソリンエンジンやディーゼルエンジン等の内燃機関が広く用いられる。
【００１３】
以下、本発明の実施例を図面を参照しつつ詳細に説明する。
【実施例】
【００１４】
図１は、本発明が適用される車両１０に備えられたエンジン１２から駆動輪２６までの動力伝達経路の概略構成を説明する図であると共に、車両１０に設けられた制御系統の要部を説明する図である。また、図２は、特に、図１のエンジン１２の概略構成を説明する図であると共に、エンジン１２の出力制御等を実行する為に車両１０に設けられた制御系統の要部を説明する図である。図１、図２において、駆動力源としてのエンジン１２により発生させられた動力は、トルクコンバータ１４を経て自動変速機１８の入力軸１６に入力され、自動変速機１８の出力軸２０から差動歯車装置（ディファレンシャルギヤ）２２や一対の車軸（ドライブシャフト）２４等を順次介して左右の駆動輪２６へ伝達される。
【００１５】
自動変速機１８は、エンジン１２から駆動輪２６までの動力伝達経路の一部を構成し、エンジン１２からの動力を駆動輪２６側へ伝達する。自動変速機１８は、例えば複数の係合装置の何れかの掴み替えにより（すなわち係合装置の係合と解放との切替えにより）変速が実行されて複数の変速段（ギヤ段）が選択的に成立させられる公知の遊星歯車式自動変速機である。すなわち、自動変速機１８は、所謂クラッチツゥクラッチ変速を行う有段変速機であり、入力軸１６の回転を変速して出力軸２０から出力する。この入力軸１６は、トルクコンバータ１４のタービン翼車によって回転駆動されるタービン軸でもある。複数の係合装置は、油圧制御回路２８によってそれぞれ係合と解放とが制御され、その油圧制御回路２８内のソレノイドバルブ等の調圧によりそれぞれのトルク容量すなわち係合力が変化させられて、それが介挿されている両側の部材を選択的に連結するクラッチやブレーキ等の油圧式の摩擦係合装置である。
【００１６】
エンジン１２は、例えば複数の気筒を有する公知の自動車用ガソリンエンジンであり、燃焼室３０の吸気ポートに接続された吸気管３２と、燃焼室３０の排気ポートに接続された排気管３４と、燃焼室３０に吸入される吸気（吸入空気）に燃料Ｆを噴射供給する燃料噴射装置３６と、燃料噴射装置３６により噴射供給された燃料Ｆと吸入された空気とから構成される燃焼室３０内の混合気に点火する点火装置３８とを備えている。
【００１７】
エンジン１２の吸気管３２内には、電子スロットル弁４０が設けられており、その電子スロットル弁４０はスロットルアクチュエータ４２により開閉作動させられる。このエンジン１２では、吸気管３２から燃焼室３０に吸入される吸入空気に燃料噴射装置３６から燃料Ｆが噴射供給されて混合気が形成され、燃焼室３０内でその混合気が点火装置３８により点火されて燃焼する。これにより、エンジン１２は駆動され、燃焼後の混合気は排気ガスＥＸとして排気管３４内へと送り出される。
【００１８】
エンジン１２の排気管３４には、触媒４４が備えられており、エンジン１２の燃焼により生じた排気ガスＥＸは、排気管３４を通って触媒４４に流入しその触媒４４によって浄化されて大気中に排出される。この触媒４４は、例えば排気ガスＥＸ中の炭化水素（ＨＣ）、一酸化炭素（ＣＯ）、窒素酸化物（ＮＯｘ）等を浄化する良く知られた三元触媒を含んで構成されている。
【００１９】
車両１０には、例えばエンジン１２の出力制御などに関連する制御装置を含む電子制御装置７０が備えられている。電子制御装置７０は、例えばＣＰＵ、ＲＡＭ、ＲＯＭ、入出力インターフェース等を備えた所謂マイクロコンピュータを含んで構成されており、ＣＰＵはＲＡＭの一時記憶機能を利用しつつ予めＲＯＭに記憶されたプログラムに従って信号処理を行うことにより車両１０の各種制御を実行する。例えば、電子制御装置７０は、エンジン１２の出力制御、自動変速機１８の変速制御等を実行するようになっており、必要に応じてエンジン制御用や油圧制御用（変速制御用）等に分けて構成される。また、電子制御装置７０には、各種センサ（例えば各回転速度センサ５０，５２，５４、アクセル開度センサ５６、スロットル弁開度センサ５８、エアフローメータ（吸入空気量センサ）６０、水温センサ６２、空燃比センサ６４など）により検出された各種信号（例えばエンジン１２の回転速度を表すエンジン回転速度Ｎe，入力軸１６の回転速度を表すタービン回転速度Ｎtすなわち変速機入力回転速度Ｎin，車速Ｖに対応する出力軸２０の回転速度を表す変速機出力回転速度Ｎout、車両１０の駆動力（駆動トルク等も同意）に対する運転者の要求量を表すアクセル開度Ａcc、電子スロットル弁４０の開き角度を表すスロットル弁開度θth、エンジン１２の吸入空気量Ｑair、エンジン１２の冷却水温TEMPw、触媒４４よりも上流側の排気ガスＥＸ（すなわち触媒に流入する排気ガスＥＸ（触媒入ガス））の空燃比A/F（すなわち触媒前A/F）など）が、それぞれ供給される。また、電子制御装置７０からは、例えばエンジン１２の出力制御の為のエンジン出力制御指令信号Ｓe、自動変速機１８の油圧アクチュエータを制御する油圧制御回路２８を作動させる為の油圧指令信号Ｓpなどが、それぞれ出力される。
【００２０】
図３は、電子制御装置７０による制御機能の要部を説明する機能ブロック線図である。図３において、エンジン出力制御手段すなわちエンジン出力制御部７２は、例えば要求されたエンジントルクＴe（以下、要求エンジントルクＴedem）が得られるように、スロットル制御の為にスロットルアクチュエータ４２により電子スロットル弁４０を開閉制御する他、エンジン１２の各気筒への燃料噴射制御の為に燃料噴射装置３６による燃料噴射量（燃料供給量）を制御し、点火時期制御の為に点火装置３８を制御するエンジン出力制御指令信号Ｓeを出力する。エンジン出力制御部７２は、例えばアクセル開度Ａccをパラメータとして車速Ｖと要求駆動力Ｆdemとの予め記憶された不図示の関係（駆動力マップ）から実際のアクセル開度Ａcc及び車速Ｖに基づいて要求駆動力Ｆdemを算出する。そして、エンジン出力制御部７２は、例えば駆動輪２６のタイヤ有効半径、現在の自動変速機１８のギヤ段におけるギヤ比、出力軸２０よりも駆動輪２６側の動力伝達経路における終減速比、及びトルクコンバータ１４のトルク比ｔに基づいて、要求駆動力Ｆdemが得られる要求エンジントルクＴedemを算出する。尚、トルクコンバータ１４のトルク比ｔは、例えば速度比（＝タービン回転速度Ｎt／ポンプ回転速度ωp（エンジン回転速度Ｎe））とトルク比ｔ、効率、及び容量係数とのそれぞれの予め記憶された公知の関係（トルクコンバータ１４の作動特性図）から実際の速度比ｅに基づいて算出される。
【００２１】
エンジン出力制御部７２は、エンジン１２の排気系に関わる温度が上昇したときには、エンジン１２への燃料噴射量を増量する燃料増量制御を実行する燃料増量制御手段すなわち燃料増量制御部７４を機能的に備えている。具体的には、燃料増量制御部７４は、エンジン１２の排気系に関わる温度としての触媒４４の温度である触媒温度ＴＨcatが、触媒４４の浄化能力が低下してしまう程の高温となっていることを判断する為の予め定められた所定温度を超えた場合には、燃料増量制御を実行しないときの燃料噴射量（指令値）に乗算する為の燃料噴射量増量係数（＞１）を設定してその燃料噴射量を増量することで、排気ガスＥＸ（触媒入ガス）の温度である排気温度ＴＨexを低下させて触媒４４を冷却する。この際、燃料増量制御部７４は、例えば図４に示すように、エンジン１２の点火時期が遅角側にある程（点火遅角量が大きい程）、大きな燃料噴射量増量係数を設定して燃料噴射量の増量分を大きくする。又、例えばアクセル開度Ａccが大きなときには速やかに加速させるという観点から、燃料増量制御部７４は、例えば図４に示すように、アクセル開度Ａcc或いはスロットル弁開度θthが大きなときには、大きな燃料噴射量増量係数を設定して燃料噴射量を増量側に補正する。燃料増量制御部７４は、点火遅角量に基づいて決定した燃料噴射量増量係数、及びアクセル開度Ａcc或いはスロットル弁開度θthに基づいて決定した燃料噴射量増量係数のうちで大きい方を燃料増量制御の実行時の燃料噴射量増量係数として設定する。或いは、例えば図４に示すように、点火遅角量及びアクセル開度Ａcc（或いはスロットル弁開度θth）と燃料噴射量増量係数との関係（燃料噴射量増量係数マップ）が予め定められており、燃料増量制御部７４は、その燃料噴射量増量係数マップから点火遅角量及びアクセル開度Ａcc（或いはスロットル弁開度θth）に基づいて燃料増量制御の実行時の燃料噴射量増量係数を設定しても良い。
【００２２】
上記排気温度ＴＨexは、例えば排気温度ＴＨexを決定する為の予め定められた関係（排気温度マップ）からエンジン１２の負荷（例えば吸入空気量Ｑair）及びエンジン回転速度Ｎeに基づいて、電子制御装置７０により推定値として逐次算出される。また、上記触媒温度ＴＨcatは、例えば排気温度ＴＨexを一次遅れ処理することで触媒温度ＴＨcatを算出する為の予め定められた関係（触媒温度算出式）から上記排気温度ＴＨexの推定値に基づいて、電子制御装置７０により推定値として逐次算出される。
【００２３】
変速制御手段すなわち変速制御部７６は、自動変速機１８の変速制御を実行する。具体的には、変速制御部７６は、車速Ｖ及びアクセル開度Ａccを変数として予め記憶された公知の関係（変速マップ、変速線図）から実際の車速Ｖ及びアクセル開度Ａccで示される車両状態に基づいて変速判断を行う。そして、変速制御部７６は、自動変速機１８の変速を実行すべきと判断した場合には、変速すべきギヤ段が得られるように自動変速機１８の自動変速制御を実行する。例えば、変速制御部７６は、判断したギヤ段が達成されるように、自動変速機１８の変速に関与する係合装置を係合及び／又は解放させる油圧指令信号Ｓpを油圧制御回路２８へ出力する。特に、変速制御部７６は、変速を適切に進行させる為に（良好な変速を実現する為に）、イナーシャ相中の変速機入力回転速度Ｎinの変化が変速ショックの抑制と変速時間（変速応答性）とを両立させる所定変化となるように変速機入力回転速度Ｎinを変化させる油圧指令信号Ｓpを油圧制御回路２８へ出力する。
【００２４】
ここで、変速制御部７６による自動変速機１８の変速（特には、パワーオンアップシフト）を適切に進行させるには、その変速時にエンジントルクＴeを低下させる変速時トルクダウン制御を実行することが有効な手法である。その為、エンジン出力制御部７２は、変速制御部７６による自動変速機１８の変速の際には、イナーシャ相中において、イナーシャトルクを相殺するように変速時トルクダウン制御を実行するトルクダウン制御手段すなわちトルクダウン制御部７８を機能的に備えている。
【００２５】
トルクダウン制御部７８による変速時トルクダウン制御としては、エンジン１２の点火時期を遅角する遅角制御、スロットル弁開度θthを小さくする閉じ制御（電スロ閉じ制御ともいう）、エンジン１２の少なくとも１つの気筒への燃料供給を停止する部分フューエルカット制御などの各種トルクダウン制御が用いられる。但し、変速ショックの抑制や変速応答性の観点からは、変速時トルクダウン制御にはトルクダウンの応答性及び精度が要求されており、本実施例では、通常実行する変速時トルクダウン制御として、それら応答性及び精度が比較的優れている（その要求を比較的満足させられ易い）遅角制御を用いる。つまり、遅角制御は、通常実行する変速時トルクダウン制御としては最も優れている。一方で、閉じ制御では、吸入空気量Ｑairによる遅れの為に、変速ショックが悪化したり、トルクダウン量が変速時間内で要求値に追従しない等の問題があり、例えば遅角制御が使用し難いような冷却水温TEMPwの低温時等以外は極力使用しないことが望ましい。その為、通常実行する変速時トルクダウン制御として、遅角制御を閉じ制御に置き換えるのは難しい。他方で、部分フューエルカット制御は、遅角制御よりも大きなトルクダウン量が得られ易いものの、気筒毎の段階的なトルクダウン量となる為にトルクダウン量が過度になったり反対に不足したり、また触媒４４による排気ガスＥＸの浄化が難しく成り易い等の問題が生じる可能性があり、通常実行する変速時トルクダウン制御としては優れていない。
【００２６】
ところで、前述したように、燃料増量制御部７４による燃料増量制御では点火遅角量が大きい程、燃料噴射量の増量分が大きくされる。その為、その燃料増量制御の実行中にトルクダウン制御部７８による変速時トルクダウン制御が遅角制御にて実行されると、燃料噴射量の増量分が更に大きくされる可能性がある。そうすると、燃料増量制御のみが実行中であるときと比較して、変速中の実エンジントルクＴe（延いては変速機入力トルクＴin）が増加させられたり、トルクの応答性が悪化させられてしまい、例えば自動変速機１８の係合装置の摩擦材の発熱量が増加したり、変速ショックや変速応答性が悪化して、良好な変速を実現し難くなる可能性がある。このような問題は、遅角制御が加えられたことによる燃料噴射量の増量分の変化量が大きい程、顕著に発生すると考えられる。
【００２７】
そこで、本実施例の電子制御装置７０は、燃料増量制御部７４による燃料増量制御が実行されているときの変速制御部７６による自動変速機１８の変速（特には、パワーオンアップシフト）の際には、トルクダウン制御部７８による変速時トルクダウン制御として、遅角制御を、閉じ制御或いは部分フューエルカット制御よりも、変速時の燃料噴射量の増量分の変化量が小さい領域で選択する。つまり、変速時の燃料噴射量の増量分の変化量が比較的小さい領域では、増量分の変化に伴って発生する問題を回避することよりも、トルクダウンの応答性及び精度を重視するという観点から、燃料増量制御を実行中の変速時トルクダウン制御を、遅角制御にて実行する。一方で、変速時の燃料噴射量の増量分の変化量が比較的大きい領域では、トルクダウンの応答性及び精度よりも、増量分の変化に伴って発生する問題を回避することを重視するという観点から、燃料増量制御を実行中の変速時トルクダウン制御を、増量分の変化自体が生じない閉じ制御或いは部分フューエルカット制御にて実行する。見方を換えれば、燃料増量制御の実行中は、通常用いる遅角制御に替えて、敢えて、トルクダウンの応答性及び精度が比較的劣っている閉じ制御或いは部分フューエルカット制御にて変速時トルクダウン制御を実行するが、その閉じ制御或いは部分フューエルカット制御の実行頻度を可及的に抑制する為、上記問題が顕著に発生するような燃料噴射量の増量分の変化量が比較的大きい領域でのみ実行するようにして、変速ショックの抑制や変速応答性を確保しつつ、係合装置の摩擦材の発熱量を抑制する。この変速時の燃料噴射量の増量分の変化量は、変速時に遅角制御により変速時トルクダウン制御を実行するとした場合に（つまり、変速時トルクダウン制御にて要求されるトルクダウン量を遅角制御を用いて生じさせたと仮定した場合に）、燃料増量制御のみが実行されているときの燃料噴射量の増量分に対して、その遅角制御に伴う点火遅角量の変化に伴って燃料噴射量の増量分が変化させられる量である。
【００２８】
ここで、前記変速時の燃料噴射量の増量分の変化量が小さい領域について、図４を用いて説明する。図４において、前述したように、点火遅角量が大きい程、大きな燃料噴射量増量係数が設定される（すなわち燃料噴射量の増量分が大きくされる）が、加えて、アクセル開度Ａcc（或いはスロットル弁開度θth）が大きなときでも、大きな燃料噴射量増量係数が設定される。その為、点火遅角量の変化が比較的大きくても、燃料噴射量増量係数の変化量α（換言すれば燃料噴射量の増量分の変化量）が比較的小さくされる場合がある。具体的には、変速時のアクセル開度Ａcc（或いはスロットル弁開度θth）が小さく、遅角によるトルクダウン量が小さいと（つまり要求されるトルクダウン量が小さいと）、点火遅角量の変化が小さくされて、遅角制御に伴う燃料噴射量増量係数の変化量α１は比較的小さくされる。一方で、遅角によるトルクダウン量が大きくされて点火遅角量の変化が大きくされても、変速時のアクセル開度Ａcc（或いはスロットル弁開度θth）が大きい為に点火遅角量の変化前の燃料噴射量増量係数が元々大きくされており、結果的に遅角制御に伴う燃料噴射量増量係数の変化量α２は比較的小さくされる。他方、変速時のアクセル開度Ａcc（或いはスロットル弁開度θth）が小さくもなく大きくもないような中程度の大きさであると、点火遅角量の変化前の燃料噴射量増量係数は比較的小さくされており、点火遅角量の変化に伴って、遅角制御に伴う燃料噴射量増量係数の変化量α３は比較的大きくされる。このように、アクセル開度Ａcc（或いはスロットル弁開度θth）が小の低開度領域（低トルク領域）、或いはアクセル開度Ａcc（或いはスロットル弁開度θth）が大の高開度領域（高トルク領域）は、アクセル開度Ａcc（或いはスロットル弁開度θth）がその低開度領域よりも相対的に大きく且つその高開度領域よりも相対的に小さい中の中開度領域（中トルク領域）よりも、変速時の燃料噴射量の増量分の変化量が小さい領域とされる。従って、本実施例の電子制御装置７０は、燃料増量制御が実行されているときの自動変速機１８の変速の際に、低開度領域或いは高開度領域である場合は遅角制御にて変速時トルクダウン制御を実行する一方で、中開度領域である場合は遅角制御に替えて閉じ制御或いは部分フューエルカット制御にて変速時トルクダウン制御を実行するようにしても良い。
【００２９】
より具体的には、図３において、トルクダウン要求変更要否判定手段すなわちトルクダウン要求変更要否判定部８０は、変速時トルクダウン制御の実行時に要求される制御を、遅角制御から閉じ制御或いは部分フューエルカット制御に替える必要があるか否かを判定する。具体的には、トルクダウン要求変更要否判定部８０は、変速制御部７６により変速指示（変速指令）が為されて自動変速機１８の変速（例えばパワーオンアップシフト）が開始されたか否か、つまり変速制御部７６による自動変速機１８の変速中であるか否かを判定する。また、トルクダウン要求変更要否判定部８０は、燃料増量制御部７４による燃料増量制御が実行中（すなわち燃料増量制御中）であるか否かを判定する。また、トルクダウン要求変更要否判定部８０は、トルクダウン制御部７８による変速時トルクダウン制御を遅角制御にて実行するとした場合に、要求されるトルクダウン量を満たす為の点火遅角量の変化に伴う燃料噴射量増量係数の変化量α（すなわち遅角制御による燃料噴射量増量係数変化量α）が所定変化量αpre以上であるか否かを判定する。或いは、トルクダウン要求変更要否判定部８０は、アクセル開度Ａcc（或いはスロットル弁開度θth）が所定の中開度領域にあるか否かを判定しても良い。尚、トルクダウン要求変更要否判定部８０は、例えば図４に示すような燃料噴射量増量係数マップから、要求されるトルクダウン量を満たす為の点火遅角量及びアクセル開度Ａcc（或いはスロットル弁開度θth）に基づいて、遅角制御を実行するとした場合の燃料噴射量増量係数Ｋaを算出し、燃料増量制御部７４により設定されている燃料増量制御の実行時の燃料噴射量増量係数Ｋbとの差分として、上記燃料噴射量増量係数変化量α（＝Ｋa−Ｋb）を算出する。上記所定変化量αpreは、例えばそれ以上となると良好な変速を実現し難くなるような燃料噴射量増量係数の変化量αとして予め定められた閾値である。上記所定の中開度領域は、例えば燃料噴射量増量係数の変化量αが所定変化量αpre以上となるようなアクセル開度Ａcc（或いはスロットル弁開度θth）の範囲として予め定められた領域である。そして、トルクダウン要求変更要否判定部８０は、自動変速機１８の変速中であると判定し、且つ、燃料増量制御中でないと判定するか或いは遅角制御による燃料噴射量増量係数変化量αが所定変化量αpre以上でないと判定した（或いはアクセル開度Ａcc（或いはスロットル弁開度θth）が所定の中開度領域にないと判定した）場合には、変速時トルクダウン制御の実行時に要求される制御を遅角制御から閉じ制御或いは部分フューエルカット制御に替える必要がないと判定する。一方で、トルクダウン要求変更要否判定部８０は、自動変速機１８の変速中であると判定し、且つ燃料増量制御中であると判定し、且つ遅角制御による燃料噴射量増量係数変化量αが所定変化量αpre以上であると判定した（或いはアクセル開度Ａcc（或いはスロットル弁開度θth）が所定の中開度領域にあると判定した）場合には、変速時トルクダウン制御の実行時に要求される制御を遅角制御から閉じ制御或いは部分フューエルカット制御に替える必要があると判定する。
【００３０】
エンジン出力制御部７２は、トルクダウン要求変更要否判定部８０により変速時トルクダウン制御の実行時に要求される制御を遅角制御から閉じ制御或いは部分フューエルカット制御に替える必要がないと判定された場合には、変速時トルクダウン制御を遅角制御にて実行する。一方で、エンジン出力制御部７２は、トルクダウン要求変更要否判定部８０により変速時トルクダウン制御の実行時に要求される制御を遅角制御から閉じ制御或いは部分フューエルカット制御に替える必要があると判定された場合には、変速時トルクダウン制御を閉じ制御或いは部分フューエルカット制御にて実行する。
【００３１】
図５は、電子制御装置７０の制御作動の要部すなわち燃料増量制御が実行中であるときの自動変速機１８の変速（例えばパワーオンアップシフト）の際に変速時トルクダウン制御を適切に実行して良好な変速を実現する為の制御作動を説明するフローチャートであり、例えば数ｍｓｅｃ乃至数十ｍｓｅｃ程度の極めて短いサイクルタイムで繰り返し実行される。図６は、図５のフローチャートに示す制御作動を実行した場合のタイムチャートであって、パワーオンアップシフト時の一例を示す図である。
【００３２】
図５において、先ず、トルクダウン要求変更要否判定部８０に対応するステップ（以下、ステップを省略する）Ｓ１０において、例えば自動変速機１８の変速中であるか否かが判定される。このＳ１０の判断が否定される場合は本ルーチンが終了させられるが肯定される場合（図６のｔ１時点乃至ｔ３時点）はトルクダウン要求変更要否判定部８０に対応するＳ２０において、燃料増量制御中であるか否かが判定される。例えば、変速時トルクダウン制御が開始されるイナーシャ相開始判断時（図６のｔ２時点）にこのＳ２０が実行される。このＳ２０の判断が肯定される場合はトルクダウン要求変更要否判定部８０に対応するＳ３０において、遅角制御による燃料噴射量増量係数変化量αが所定変化量αpre以上であるか否かが判定される（図６のｔ２時点）。このＳ３０の判断が肯定される場合はエンジン出力制御部７２に対応するＳ４０において、変速時トルクダウン制御の実行時に要求される制御が遅角制御から閉じ制御或いは部分フューエルカット制御に変更され、変速時トルクダウン制御が閉じ制御或いは部分フューエルカット制御にて実行される（図６のｔ２時点乃至ｔ３時点の破線参照）。一方で、上記Ｓ２０の判断が否定されるか或いは上記Ｓ３０の判断が否定される場合はエンジン出力制御部７２に対応するＳ５０において、変速時トルクダウン制御が通常通り遅角制御にて実行される（図６のｔ２時点乃至ｔ３時点の実線参照）。上記Ｓ４０或いは上記Ｓ５０に次いで、変速制御部７６に対応するＳ６０において、変速が進行させられて変速が終了させられる（図６のｔ３時点）。
【００３３】
図６において、例えばパワーオンアップシフトのイナーシャ相中において変速時トルクダウン制御が実行される場合、実線に示す実施例では、イナーシャ相開始時（ｔ２時点）に、変速時トルクダウン制御を遅角制御にて実行したとしても燃料噴射量増量係数変化量αが所定変化量αpre以上にはならないと判断された為、変速時トルクダウン制御が通常通り遅角制御にて実行される。一方で、破線に示す実施例では、イナーシャ相開始時（ｔ２時点）に、変速時トルクダウン制御を通常通りに遅角制御にて実行してしまうと燃料噴射量増量係数変化量αが所定変化量αpre以上になると判断された為、変速時トルクダウン制御が遅角制御に替えて閉じ制御にて実行される。従って、燃料噴射量増量係数は変化しない。
【００３４】
上述のように、本実施例によれば、燃料増量制御中に遅角制御で行うことに伴う燃料噴射量増量係数変化量αが比較的小さい場合は、遅角制御を行ったとしても変速中の実エンジントルクＴeの変化が小さくされて変速ショックや変速応答性の悪化が抑制される為、比較的制御性の良い（すなわちトルクダウンの応答性や精度が比較的優れている）遅角制御により変速時トルクダウン制御を実行する。一方で、燃料増量制御中に遅角制御で行うことに伴う燃料噴射量増量係数変化量αが比較的大きい場合は、遅角制御を行うと変速中の実エンジントルクＴeの変化が大きくされて変速ショックや変速応答性が悪化し易い為、実エンジントルクＴeへの影響がない（すなわち遅角制御と異なりトルクダウンの実行に伴って燃料噴射量増量係数が変化しない）閉じ制御或いは部分フューエルカット制御により変速時トルクダウン制御を実行する。これにより、変速ショックの抑制と変速応答性とを両立することが可能となる。よって、燃料増量制御中であるときの自動変速機１８の変速の際に、変速時トルクダウン制御を適切に実行して良好な変速を実現することができる。
【００３５】
また、本実施例によれば、アクセル開度Ａcc（或いはスロットル弁開度θth）の低開度領域或いは高開度領域は、中開度領域よりも、変速時の燃料噴射量増量係数変化量αが小さい領域とされるので、燃料増量制御中における変速時トルクダウン制御として、所定の中開度領域でない領域である低開度領域或いは高開度領域では遅角制御が選択される一方で、所定の中開度領域では閉じ制御或いは部分フューエルカット制御が選択される。
【００３６】
また、本実施例によれば、変速時の燃料噴射量増量係数変化量αは、遅角制御により変速時トルクダウン制御を実行するとした場合に、その遅角制御に伴って燃料噴射量増量係数が変化させられる量であるので、燃料増量制御中であるときの自動変速機１８の変速の際に、変速時トルクダウン制御を適切に実行して良好な変速を確実に実現することができる。
【００３７】
以上、本発明の実施例を図面に基づいて詳細に説明したが、その他の態様においても適用される。
【００３８】
例えば、前述の実施例において、エンジン１２の排気系に関わる温度として触媒温度ＴＨcatを例示したが、排気温度ＴＨexもこのエンジン１２の排気系に関わる温度の一つである。従って、エンジン出力制御部７２は、排気温度ＴＨexに基づいて燃料増量制御を実行しても良い。要は、触媒温度ＴＨcatの変化に関連する、エンジン１２の排気系に関わる何らかの温度に基づいて燃料増量制御を実行すれば良い。また、前述の実施例では、このエンジン１２の排気系に関わる温度は、燃料増量制御を実行するか否かを判断する為のものであったが、エンジン１２の排気系に関わる温度が高温である程、大きな燃料噴射量増量係数を設定して燃料噴射量の増量分を大きくしても良い。つまり、燃料増量制御部７４は、点火遅角量に基づいて決定した燃料噴射量増量係数、アクセル開度Ａcc或いはスロットル弁開度θthに基づいて決定した燃料噴射量増量係数、及びエンジン１２の排気系に関わる温度に基づいて決定した燃料噴射量増量係数のうちで大きい方を燃料増量制御の実行時の燃料噴射量増量係数として設定しても良い。
【００３９】
また、前述の実施例では、触媒４４は、三元触媒であったが、これに限らない。例えば、酸化触媒とＮＯｘ還元触媒とがそれぞれ排気管３４に設けられる態様であっても良い。
【００４０】
尚、上述したのはあくまでも一実施形態であり、本発明は当業者の知識に基づいて種々の変更、改良を加えた態様で実施することができる。
【符号の説明】
【００４１】
１０：車両
１２：エンジン
２６：駆動輪
１８：自動変速機
７０：電子制御装置（制御装置）
【図１】
2014058907.tif 000003
【図２】
2014058907.tif 000004
【図３】
2014058907.tif 000005
【図４】
2014058907.tif 000006
【図５】
2014058907.tif 000007
【図６】
2014058907.tif 000008